(57)【要約】【課題】本発明は、意識的に把持しなくてもボタンをすぐ押せる状態で手の中にナースコール装置の子機を保持することのできるナースコールホルダを提供する。【解決手段】ナースコールホルダ１は、被看護者が看護者を呼び出す場合に使用されるナースコール装置に接続された子機１０に装着されることを前提とする。そして、子機１０の胴部外周１０ａに抱きつくクリップ部２と、このクリップ部２と交差する向きに外接して設けられて被看護者の指Ｆが挿入される挿嵌部３とを備える。【選択図】      図３
2005058455.tif 000002
【特許請求の範囲】
【請求項１】
被看護者が看護者を呼び出す場合に使用されるナースコール装置に接続された子機に装着されるナースコールホルダにおいて、
前記子機の胴部外周に抱きつくクリップ部と、
前記クリップ部と交差する向きに外接して設けられて前記被看護者の指または手が挿入される挿嵌部とを備えることを特徴とするナースコールホルダ。
【請求項２】
前記クリップ部は、前記子機の胴部外周を囲う環状、または前記子機の外周を半周以上囲う円弧状に形成されていることを特徴とする請求項１に記載のナースコールホルダ。
【請求項３】
前記クリップ部は、前記子機の胴部外周を囲う開閉可能な環状に形成されていることを特徴とする請求項１に記載のナースコールホルダ。
【請求項４】
前記挿嵌部は、前記被看護者の指または手を囲う環状、または円弧状に形成されていることを特徴とする請求項１から請求項３のいずれか１項に記載のナースコールホルダ。
【請求項５】
少なくとも前記子機に接触する前記クリップ部に、摩擦係数の高い滑止部材を設けることを特徴とする請求項１から請求項４のいずれか１項に記載のナースコールホルダ。
【発明の詳細な説明】
【技術分野】
【０００１】
本発明は、被看護者が看護者を呼び出す場合に用いられるナースコール装置に接続される子機を持ちやすく補助するナースコールホルダに関する。
【背景技術】
【０００２】
健常者を対象として作られた日用品を手の不自由な人にも使用できるように補助する器具がある。その中に、握力が低下した人でも容易に食事用スプーンやフォークを使用できるように設けられた食用器具保持具がある（例えば、特許文献１参照。）。この食用器具保持具は、ハンドルとＬ字状の支軸を備えており、食事用スプーンやフォークなどの食用器具をハンドルから延びるＬ字状の軸の先端に装着して使用される。
【０００３】
また、被看護者が看護者を呼び出すために病院で使用されるナースコール装置の子機として、押しボタン式の子機がある。この子機は、被看護者が軽く手で握って持てる大きさの握り部の先端に押しボタンが設けられており、被看護者の枕元或いは手元まで充分に届くコードによって壁に設けられたターミナルに接続されている。
【特許文献１】特開２００２-９５５７１号公報
【発明の開示】
【発明が解決しようとする課題】
【０００４】
ナースコール装置の子機の場合、様態が急変しやすく頻繁に看護者を呼び出す必要がある場合や、夜間の消灯中時に看護者を呼び出す必要が生じる場合など、被看護者の中には不安感を和らげるために、子機を常に持っていたいと思うことが多い。しかしながら、就寝中や、コードがどこかに引っ掛って引っ張られた場合など、不用意に手から子機が離れてしまうことがある。
【０００５】
そこで、本発明は、意識的に把持しなくてもボタンをすぐ押せる状態で手の中にナースコール装置の子機を保持することのできるナースコールホルダを提供することを目的とする。
【課題を解決するための手段】
【０００６】
本発明に係るナースコールホルダは、被看護者が看護者を呼び出す場合に使用されるナースコール装置に接続された子機に装着されることを前提とする。そして、子機の胴部外周に抱きつくクリップ部と、このクリップ部と交差する向きに外接して設けられて被看護者の指または手が挿入される挿嵌部とを備える。
【０００７】
この場合、クリップ部は、子機の胴部外周を囲う環状、または子機の胴部外周を半周以上囲う円弧状に形成する。または、クリップ部は、子機の胴部外周を囲う開閉可能な環状に形成する。そして、挿嵌部は、被看護者の指または手を囲う環状、または円弧状に形成する。また、子機の脱落を防止するために、少なくとも子機に接触するクリップ部には、摩擦係数の高い滑止部材を設ける。
【発明の効果】
【０００８】
本発明のナースコールホルダによれば、クリップ部で子機の胴部外周に抱きつき、このクリップ部と交差する向きに外接して挿嵌部が設けたれている。被看護者は、この挿嵌部に指または手を挿入しておくことで、意識的に把持しなくてもボタンをすぐ押せる状態で手の中にナースコール装置の子機を保持することができる。したがって、就寝中や、コードがどこかに引っ掛って引っ張られた場合にも、不用意に手から子機が離れることがないので、被看護者は、安心感が得られる。
【０００９】
クリップ部を子機の胴部外周を囲う環状に形成する発明のナースコールホルダによれば、子機がコードで引っ張られてもクリップ部から脱落し難くい。
【００１０】
クリップ部を子機の胴部外周を半周以上囲う円弧状に形成する発明のナースコールホルダによれば、子機に対して取り付けが簡単であるとともに、子機に無理な力が加わった場合に子機をクリップ部から脱落させることで、コードが断線したり子機を破損したりすることを防止することができる。
【００１１】
クリップ部を子機の胴部外周を囲う開閉可能な環状に形成する発明のナースコールホルダによれば、長いコードを送通させて子機に装着させることなくクリップ部を開いて子機の胴部外周を囲うように装着することができるので、取り付けが簡単である。そして、取り付けた後クリップ部を閉じることによって、子機をしっかりと保持することができる。
【００１２】
挿嵌部を被看護者の指または手を囲う環状に設ける発明のナースコールホルダによれば、握力の低下した被看護者でも子機を手放さないように保持しやすい。また、挿嵌部を被看護者の指または手を囲う円弧状に設ける発明のナースコールホルダによれば、指の太さや手の大きさの違いに対応して挿嵌部の大きさを変化させることができるので、手の大きさや指の太さが多少違う場合でも同じナースコールホルダを使用することができる。また、無理な荷重が子機にかかった場合に、指または手からナースコールホルダが脱落するので、子機やコードを破損することがない。
【００１３】
少なくとも子機と接触するクリップ部に摩擦係数の高い滑止部材を設ける発明のナースコールホルダによれば、子機がクリップ部にしっかり固定される。
【発明を実施するための最良の形態】
【００１４】
本発明に係る第１の実施形態のナースコールホルダ１について、図１から図３を参照して説明する。図１に示すナースコールホルダ１は、病院において被看護者が看護者を呼び出す場合に使用されるナースコール装置に接続される押しボタン式の子機１０に図２に示すように装着される。
【００１５】
ナースコールホルダ１は、クリップ部２と挿嵌部３とを備えている。クリップ部２は、子機１０の胴部外周１０ａに抱きつく環状に形成されている。クリップ部２の１か所には、互いに引っ掛る１対のフック４ａ，４ｂが設けられており、クリップ部２を図１に示すように開放し、図２に示すように閉じる。また、図１に示すように、フック４ａ，４ｂからほぼ半周回った位置には、クリップ部２の開閉を容易にするリガメント５が設けられている。
【００１６】
また、ナースコールホルダ１から子機１０が脱落しないように、摩擦係数の高い滑止部材６、例えば、合成ゴム、合成樹脂エラストマ、ポリウレタン樹脂エラストマ、シリコーン樹脂エラストマのいずれかを少なくとも子機１０に接触するクリップ部２の一部に設ける。なお、クリップ部２の内周面２ａをコーティングしても良い。
【００１７】
挿嵌部３は、図１に示すようにクリップ部２と交差する向きに外接する環状に形成されている。この挿嵌部３は、被看護者の指Ｆを容易に挿入できる程度の大きさ及び形状に形成されている。本実施形態では、挿嵌部３は、３つの平坦な壁３ａ，３ｂ，３ｃを円弧状のコーナ部３ｄで連結した筒状に形成されている。図３に示すように挿嵌部３に指Ｆを挿入すると、３つの壁３ａ，３ｂ，３ｃがそれぞれ指Ｆに接する。したがって、被看護者にとって指Ｆの外周にぴったりと接する円環状のものよりも圧迫感が少なく、長時間装着していても不快感を生じにくい。また、接触部分が少ないので、指Ｆを挿入したり抜いたりしやすい。
【００１８】
以上のように構成されたナースコールホルダ１は、図２に示すようにナースコール装置の子機１０に装着され、図３に示すように被看護者の中指Ｆに嵌めた状態で使用される。なお、好みによって、人差し指Ｆに挿嵌部３を嵌めて使用しても良い。
【００１９】
被看護者は、図３に示すように、意識的に把持しなくてもボタンを押せる状態に手Ｈの中にナースコール装置の子機１０を保持することができる。つまり、被看護者は、ナースコールホルダ１によって子機１０の押しボタンＢを親指Ｔでいつでも押せる状態に手元に置くことができるようになるので、安心感が得られるとともに、緊急時にもパニックに陥らずに落ち着いて子機１０を操作することができる。
【００２０】
本発明に係る第２の実施形態のナースコールホルダ１について、図４を参照して説明する。なお、図１に示す第１の実施形態のナースコールホルダ１と同じ機能を有する構成要素については、同一の符号を付してその説明を一部省略する。
【００２１】
図４に示すナースコールホルダ１において、クリップ部２は、子機１０の胴部外周１０ａの半周以上に抱きつく円弧状、いわゆるＣ形に形成されている。また、挿嵌部３は、手Ｈを囲う環状、本実施形態では、手Ｈの外形に沿う長円形状に形成されている。ナースコール装置の子機１０は、クリップ部２の弾性によって把持される。少なくとも子機１０に接触するクリップ部２の一部には、子機１０の脱落を防止するために摩擦係数の高い滑止部材６、例えば、合成ゴム、合成樹脂エラストマ、ポリウレタン樹脂エラストマ、シリコーン樹脂エラストマのいずれかを設ける。
【００２２】
このように設けられたナースコールホルダ１は、クリップ部２に子機１０を把持下状態で、挿嵌部３に手Ｈを差し込み使用される。被看護者は、子機１０を意識的に把持しなくても子機１０の押しボタンＢを押せるように手Ｈの中に保持できる。したがって、被看護者は、いつでも子機１０を使用できる状態に手元に保持できるようになることで、安心感が得られるとともに、緊急時にもパニックに陥ることなく落ち着いて子機１０を操作することができる。さらに、クリップ部２が、子機１０を把持する円弧上に形成されているので、子機１０から延びるコード１１が何かに引っ掛って引っ張られても、クリップ部２が広がって子機１０が脱落するので、コード１１が断線したり子機１０を破損したりすることがない。なお、クリップ部２の形状は、図１に示すように開閉可能な環状に設けられていても良いし、子機１０の胴部外周１０ａに沿う環状に形成されていても良い。
【００２３】
本発明に係る第３の実施形態のナースコールホルダ１について、図５を参照して説明する。なお、図１に示す第１の実施形態のナースコールホルダ１と同じ機能を有する構成要素については、同一の符号を付してその説明を一部省略する。
【００２４】
図５に示すナースコールホルダ１において、挿嵌部３は、被看護者の手Ｈの外形に沿って囲う円弧状、いわゆるＣ形に形成されている。本実施形態では、手Ｈの甲側にあたる部分に不連続部３ｅが設けられているが、手Ｈの平側にあたる部分に不連続部３ｅが設けられていても良い。クリップ部２は、図１に示すナースコールホルダ１と同じ形状であるのでその説明を省略する。
【００２５】
以上のように構成されたナースコールホルダ１によれば、被看護者は、意識的に把持しなくても子機１０を手Ｈの中で押しボタンＢをすぐに押せる位置に保持することができるので、安心感が得られる。したがって、被看護者は、緊急時でも落ち着いて子機１０を操作することができる。
【００２６】
さらに、このナースコールホルダ１は、挿嵌部３がＣ形に形成されているので、手Ｈの大きさに関係なく使用することができるので汎用性に優れている。また、子機１０から延びるコード１１がどこかに引っ掛って引っ張られるなど、子機１０に無理な荷重が加わった場合に、挿嵌部３の不連続部３ｅが広がって手Ｈからナースコールホルダ１が脱落するので、子機１０やコード１１を破損することがない。
【００２７】
そして、挿嵌部３がＣ形に形成されているので、柔軟で復元性の良い部材、例えば合成樹脂や板ばねなどで作ることによって自由に広がるようにすると、手Ｈに持たない場合は、ベッドの手すりやフレームを挿嵌部３に嵌めておくことができる。合成樹脂の具体的な例としては、ポリプロピレン、ポリビニル、ポリエチレン、ポリウレタンなど、変形しても欠けたり割れたりしない素材が好ましい。また、板ばねを使用する場合は、外表面をゴムや合成樹脂でコーティングする。
【００２８】
なお、図１に示す第１の実施形態におけるナースコールホルダ１のクリップ部２を図４に示す第２の実施形態におけるナースコールホルダ１のクリップ部２のように形成しても良い。また、図１に示す第１の実施形態におけるナースコールホルダ１の挿嵌部３を図５に示す第３の実施形態におけるナースコールホルダ１の挿嵌部３のように、指Ｆに抱きつく円弧状、いわゆるＣ形に形成しても良い。さらに、図４に示す第２の実施形態におけるナースコールホルダ１のクリップ部２を第５図に示す第３の実施形態におけるナースコールホルダ１のクリップ部２に適用しても良い。また、子機１０の胴部外周１０ａに沿う環状に各実施形態におけるナースコールホルダ１のクリップ部２を形成しても良い。
【図面の簡単な説明】
【００２９】
【図１】本発明に係る第１の実施形態のナースコールホルダを示す斜視図。
【図２】図１のナースコールホルダをナースコール装置の子機に装着した状態を示す斜視図。
【図３】図２に示す状態のナースコールホルダの挿嵌部に指を入れて使用する状態を示す斜視図。
【図４】本発明に係る第２の実施形態のナースコールホルダを示す斜視図。
【図５】本発明に係る第３の実施形態のナースコールホルダを示す斜視図。
【符号の説明】
【００３０】
１…ナースコールホルダ、２…クリップ部、３…挿嵌部、６…滑止部材、１０…子機、１０ａ…胴部外周、Ｆ…指、Ｈ…手。
【図１】
2005058455.tif 000003
【図２】
2005058455.tif 000004
【図３】
2005058455.tif 000005
【図４】
2005058455.tif 000006
【図５】
2005058455.tif 000007